(57)【要約】【課題】  記入欄を切り出して、マーク、印字数字、手書き数字、自由記述を区別して文字認識を行ったり、自由記述欄に何らかの文章が記入されているか否かを判定したりする場合、処理が複雑になる。【解決手段】  本発明の画像形成装置は、画像比較領域及び画像切り出し領域が指定されたフォーマットデータを記憶する記憶手段と、画像データの入力を受け付ける入力手段と、前記画像比較領域について、受け付けた画像データとフォーマットデータとを比較する画像比較手段と、画像比較領域が一致した場合、画像データの画像切り出し領域を切り出して記憶手段に登録する画像処理手段と、記憶手段に登録された画像データの画像切り出し領域の蓄積量が所定量に達したか否かを判定する蓄積量判定手段と、蓄積量が所定量に達したとき、記憶手段に登録された画像データの画像切り出し領域を合成して合成画像データとして出力する出力手段とを有する。【選択図】      図１
2015226176.tif 000002
【特許請求の範囲】
【請求項１】
画像比較領域および画像切り出し領域が指定されたフォーマットデータを記憶する記憶手段と、
画像データの入力を受け付ける入力手段と、
前記画像比較領域について、前記受け付けた画像データと前記フォーマットデータとを比較する画像比較手段と、
前記画像比較領域が一致した場合、前記画像データの画像切り出し領域を切り出して前記記憶手段に登録する画像処理手段と、
記憶手段に登録された前記画像データの画像切り出し領域の蓄積量が所定量に達したか否かを判定する蓄積量判定手段と、
前記蓄積量が所定量に達したとき、前記記憶手段に登録された画像データの画像切り出し領域を合成して合成画像データとして出力する出力手段と、
を有することを特徴とする画像形成装置。
【請求項２】
前記記憶手段には、前記画像切り出し領域を配置するための合成情報が前記フォーマットデータに紐付けられて記憶され、
前記出力手段は、前記合成情報に基づいて、前記記憶手段に登録された画像データの画像切り出し領域を合成する、
請求項１に記載の画像形成装置。
【請求項３】
前記出力手段は、前記合成画像データを所定サイズの用紙に印字出力し、
前記蓄積量は、前記用紙の所定サイズに応じて決定される、
請求項１または２に記載の画像形成装置。
【請求項４】
前記合成画像データが表示される表示手段をさらに備え、
前記蓄積量は、前記表示手段の表示サイズに応じて決定される、
請求項１または２に記載の画像形成装置。
【請求項５】
前記フォーマットデータを前記記憶手段に記憶する代わりに、前記フォーマットデータを外部から取得する取得手段をさらに備える、
請求項１乃至４のいずれか１項に記載の画像形成装置。
【請求項６】
画像比較領域および画像切り出し領域が指定された同一のフォーマットデータを記憶する記憶手段をそれぞれ備える送信装置および受信装置から成る画像形成システムであって、
前記送信装置は、
画像データの入力を受け付ける入力手段と、
前記受け付けた画像データが前記フォーマットデータに付加された送信画像データを送信する送信手段と、
を備え、
前記受信装置は、
前記送信画像データを受信する受信手段と、
前記画像比較領域について、前記受信した送信画像データと前記フォーマットデータとを比較する画像比較手段と、
前記画像比較領域が一致した場合、前記画像データの画像切り出し領域を切り出して自装置の前記記憶手段に登録する画像処理手段と、
前記記憶手段に登録された前記画像データの画像切り出し領域の蓄積量が所定量に達したか否かを判定する蓄積量判定手段と、
前記蓄積量が所定量に達したとき、前記記憶手段に登録された画像データの画像切り出し領域を合成して合成画像データとして出力する出力手段と、
を備える、
ことを特徴とする画像形成システム。
【請求項７】
前記送信装置は、さらに画像合成手段を有し、
前記送信装置の画像合成手段は、前記受け付けた画像データを前記フォーマットデータの切り出し領域に挿入することによって送信画像データを合成し、
前記送信手段は、前記送信装置の画像合成手段が合成した送信画像データを送信する、
請求項６に記載の画像形成システム。
【請求項８】
画像比較領域および画像切り出し領域が指定されたフォーマットデータを取得し、
画像データの入力を受け付けた場合、前記画像比較領域について、前記受け付けた画像データと前記フォーマットデータとを比較し、
前記画像比較領域が一致した場合、前記画像データの画像切り出し領域を切り出して記憶手段に登録し、
前記記憶手段に登録された前記画像データの画像切り出し領域の蓄積量が所定量に達したか否かを判定し、前記蓄積量が所定量に達したとき、前記記憶手段に登録された画像データの画像切り出し領域を合成して合成画像データとして出力する、
ことを特徴とする画像形成方法。
【請求項９】
記憶手段を備える画像形成装置のコンピュータに、
画像比較領域および画像切り出し領域が指定されたフォーマットデータを取得する取得処理と、
前記画像比較領域について、前記受け付けた画像データと前記フォーマットデータとを比較する比較処理と、
前記画像比較領域が一致した場合に前記画像データの画像切り出し領域を切り出して前記記憶手段に登録する登録処理と、
前記記憶手段に登録された前記画像データの画像切り出し領域の蓄積量が所定量に達したか否かを判定し、前記蓄積量が所定量に達したとき、前記記憶手段に登録された画像データの画像切り出し領域を合成して合成画像データとして出力する出力処理と、
を実行させることを特徴とするプログラム。
【発明の詳細な説明】
【技術分野】
【０００１】
本発明は、画像形成装置、画像形成システム、画像形成方法及びプログラムに関する。
【背景技術】
【０００２】
画像情報を取得した時に、所定の処理を施した後で処理結果を出力する画像形成装置が、例えば、特許文献１、２に記載されている。
【０００３】
特許文献２に開示されているアンケート自動集計装置は、アンケート回答者から、ファクシミリ送信されてきたアンケート回答用紙を自動受信し、受信したアンケート回答用紙を自動認識して自動集計し、必要に応じてアンケート集計結果として印字する。
【０００４】
特許文献２のアンケート自動集計装置においては、アンケート回答用紙の自動認識は、アンケート回答用紙の記入欄を切り出して、マーク、印字数字、手書き数字、自由記述を区別し、文字認識等を行うことによって行う。特許文献２にはさらに、自由記述欄に何らかの文章が記入されていた場合は、そのままイメージ枠内を切出し、集計部で集計しておきまとめて印字することが提案されている。
【先行技術文献】
【特許文献】
【０００５】
【特許文献１】特開２０１１−０６０１４８
【特許文献２】特開平０５−１８９４０７
【発明の概要】
【発明が解決しようとする課題】
【０００６】
しかしながら、アンケート回答用紙の記入欄を切り出して、マーク、印字数字、手書き数字、自由記述を区別して文字認識等を行ったり、自由記述欄に何らかの文章が記入されているか否か判定したりする場合、アンケート自動集計装置の処理が複雑になる。
【０００７】
本発明の目的は、上述した課題を解決し、画像情報を取得した時に、装置の処理負荷が大きくなることなく、取得した画像情報を自動的に認識して所定の処理を施した後で処理結果を出力することのできる画像形成装置、画像形成方法及びプログラムを提供することにある。
【課題を解決するための手段】
【０００８】
本発明の画像形成装置は、画像比較領域および画像切り出し領域が指定されたフォーマットデータを記憶する記憶手段と、画像データの入力を受け付ける入力手段と、前記画像比較領域について、前記受け付けた画像データと前記フォーマットデータとを比較する画像比較手段と、前記画像比較領域が一致した場合、前記画像データの画像切り出し領域を切り出して前記記憶手段に登録する画像処理手段と、記憶手段に登録された前記画像データの画像切り出し領域の蓄積量が所定量に達したか否かを判定する蓄積量判定手段と、前記蓄積量が所定量に達したとき、前記記憶手段に登録された画像データの画像切り出し領域を合成して合成画像データとして出力する出力手段と、を有することを特徴とする。
【０００９】
本発明の画像形成システムは、画像比較領域および画像切り出し領域が指定された同一のフォーマットデータを記憶する記憶手段をそれぞれ備える送信装置および受信装置から成る画像形成システムであって、前記送信装置は、画像データの入力を受け付ける入力手段と、前記受け付けた画像データが前記フォーマットデータに付加された送信画像データを送信する送信手段と、を備え、前記受信装置は、前記送信画像データを受信する受信手段と、前記画像比較領域について、前記受信した送信画像データと前記フォーマットデータとを比較する画像比較手段と、前記画像比較領域が一致した場合、前記画像データの画像切り出し領域を切り出して自装置の前記記憶手段に登録する画像処理手段と、前記記憶手段に登録された前記画像データの画像切り出し領域の蓄積量が所定量に達したか否かを判定する蓄積量判定手段と、前記蓄積量が所定量に達したとき、前記記憶手段に登録された画像データの画像切り出し領域を合成して合成画像データとして出力する出力手段と、を備えることを特徴とする。
【００１０】
本発明の画像形成方法は、画像比較領域および画像切り出し領域が指定されたフォーマットデータを取得し、画像データの入力を受け付けた場合、前記画像比較領域について、前記受け付けた画像データと前記フォーマットデータとを比較し、前記画像比較領域が一致した場合、前記画像データの画像切り出し領域を切り出して記憶手段に登録し、前記記憶手段に登録された前記画像データの画像切り出し領域の蓄積量が所定量に達したか否かを判定し、前記蓄積量が所定量に達したとき、前記記憶手段に登録された画像データの画像切り出し領域を合成して合成画像データとして出力することを特徴とする。
【００１１】
本発明のプログラムは、記憶手段を備える画像形成装置のコンピュータに、画像比較領域および画像切り出し領域が指定されたフォーマットデータを取得する取得処理と、前記画像比較領域について、前記受け付けた画像データと前記フォーマットデータとを比較する比較処理と、前記画像比較領域が一致した場合に前記画像データの画像切り出し領域を切り出して前記記憶手段に登録する登録処理と、前記記憶手段に登録された前記画像データの画像切り出し領域の蓄積量が所定量に達したか否かを判定し、前記蓄積量が所定量に達したとき、前記記憶手段に登録された画像データの画像切り出し領域を合成して合成画像データとして出力する出力処理と、を実行させることを特徴とする。
【発明の効果】
【００１２】
本発明の画像形成装置、画像形成システム、画像形成方法及び画像形成装置のプログラムは、画像情報を取得した時に、装置の処理負荷が大きくなることなく、取得した画像情報を自動的に認識して所定の処理を施した後で処理結果を出力することができるという効果がある。
【図面の簡単な説明】
【００１３】
【図１】本発明の第１の実施形態の画像形成装置１０のブロック構成図を示す。
【図２】本発明の第１の実施形態の画像形成装置１０の動作例を示すフローチャートを示す。
【図３】本発明の第２の実施形態の画像形成装置３０のブロック構成図を示す。
【図４】本発明の第２の実施形態の画像形成装置３０の動作例を示すフローチャートを示す。
【図５】本発明の第２の実施形態の文書イメージ、フォーマットデータの詳細な例を示す。
【図６】本発明の第２の実施形態の詳細な動作例を示す。
【図７】本発明の第３の実施形態の画像形成装置８０のブロック構成図を示す。
【図８】本発明の第３の実施形態の画像形成装置８０の動作例を示すフローチャートを示す。
【図９】本発明の第４の実施形態の画像形成装置９０のブロック構成図を示す。
【図１０】本発明の第４の実施形態のシステムの構成図を示す。
【図１１】本発明の第４の実施形態のシステムの動作例を示すシーケンスチャートを示す。
【図１２】本発明の第４の実施形態の他の画像形成装置１２０のブロック構成図を示す。
【図１３】本発明の第４の実施形態の詳細な動作例を示す。
【図１４】本発明の第４の実施形態の他の詳細な動作例を示す。
【発明を実施するための形態】
【００１４】
＜第１の実施形態＞
本発明の第１の実施形態について説明する。
【００１５】
図１は、本発明の第１の実施形態の画像形成装置の機能ブロック図である。
【００１６】
本発明の第１の実施形態の画像形成装置１０は、入力手段１０１と、画像比較手段１０２と、画像処理手段１０３と、記憶手段１０４と、蓄積量判定手段１０５と、画像合成手段１０６と、出力手段１０７とを有する。
【００１７】
入力手段１０１は、画像データの入力を受け付ける。
【００１８】
画像比較手段１０２は、入力手段１０１で入力された画像データと記憶手段１０４に記憶されているフォーマットデータとが一致したか否かを判定する。
【００１９】
画像処理手段１０３は、画像比較手段１０２による判定結果に基づいて、所定の領域を前記入力された画像データから切り出す。
【００２０】
記憶手段１０４には、画像比較領域および画像切り出し領域が予め指定されたフォーマットデータが記憶されている。本実施形態のフォーマットデータにはさらに、画像切り出し領域を配置するための合成情報が紐づけられている。また、記憶手段１０４は、画像処理手段１０３が切り出した切り出し領域を一時的に記憶する。
【００２１】
蓄積量判定手段１０５は、記憶手段１０４に記憶されている切り出した領域が所定量に達したか否かを判定する。
【００２２】
画像合成手段１０６は、蓄積量判定手段１０５による判定結果に基づいて、切り出した領域を合成し、合成画像データを作成する。
【００２３】
出力手段１０７は、画像合成手段１０６により作成された合成画像データを出力する。
【００２４】
図２は、本発明の第１の実施形態の画像形成装置の動作フローである。
【００２５】
入力手段１０１は、画像データの入力を受け付ける（Ｓ２０１）。
【００２６】
画像比較手段１０２は、入力された画像データと記憶手段１０４に記憶されているフォーマットデータとが一致したか否かを判定する（Ｓ２０２）。本実施形態に係る画像比較手段１０２は、記憶手段１０４に記憶されているフォーマットデータの画像比較領域を参照し、入力された画像データの対応領域がフォーマットデータの画像比較領域と一致するか否かを判定する。
【００２７】
画像処理手段１０３は、画像比較手段１０２による判定結果に基づいて、所定の領域を入力された画像データから切り出す（Ｓ２０３）。本実施形態に係る画像処理手段１０３は、記憶手段１０４に記憶されているフォーマットデータの画像比較領域と入力された画像データの対応領域とが一致した場合、フォーマットデータの画像切り出し領域と対応する領域を入力された画像データから切り出して、記憶手段１０４に記憶する。
【００２８】
記憶手段１０４は、切り出された領域を記憶する（Ｓ２０４）。
【００２９】
蓄積量判定手段１０５は、記憶手段１０４に記憶されている切り出した領域が所定量に達したか否かを判定する（Ｓ２０５）。
【００３０】
画像合成手段１０６は、蓄積量判定手段１０５による判定結果に基づいて、切り出した領域を合成し、合成画像データを作成する（Ｓ２０６）。本実施形態に係る画像合成手段１０６は、記憶手段１０４に記憶されている切り出し領域が所定量に達した場合、フォーマットデータに紐付けられて記憶されている合成情報を用いて、記憶されている切り出し領域を合成する。
【００３１】
出力手段１０７は、画像合成手段１０６によって作成された合成画像データを出力する（Ｓ２０７）。合成画像データが出力された後、合成に用いた切り出し領域のデータは記憶手段１０４から削除される。
【００３２】
このような構成を有することにより、第１の実施形態の画像形成装置は、画像データの入力を受け付けた時に、記憶手段１０４に記憶されているフォーマットの画像比較領域および画像切り出し領域を参照することにより、入力された画像データから所定の領域を容易に切り出すことができる。さらに、本実施形態の画像形成装置１０は、フォーマットに紐づけられている合成情報に基づいて、容易に切り出した領域を合成して出力することができる。従って、第１の実施形態の画像形成装置１０は、装置の処理負荷が大きくなることなく、取得した画像データを自動的に処理して合成画像データとして出力することができる。
【００３３】
＜第２の実施形態＞
本発明の第２の実施形態について説明する。
【００３４】
図３は、本発明の第２の実施形態の画像形成装置を示す機能ブロック図である。なお、第２の実施形態において、画像形成装置３０は、ファクシミリ装置として説明するが、それに限るものではない。例えば、画像形成装置３０は、スキャナ装置、データの読み取りを行う装置、またはそれらの機能を備えるファクシミリ装置等であってもよい。
【００３５】
第２の実施形態の画像形成装置３０は、制御手段３０１と、ＦＡＸ制御手段３０２と、画像比較手段３０３と、画像処理手段３０４と、記憶手段３０５と、蓄積量判定手段３０６と、画像合成手段３０７と、出力手段３０８とを有する。
【００３６】
制御手段３０１は、後述する各手段の制御を行う。制御手段３０１は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成してもよい。また、例えば、制御手段３０１のＣＰＵは、ＲＯＭから読み込んだプログラムに基づいて、各手段の制御を行ってもよい。また、制御手段３０１のＣＰＵは、コンピュータで読み取り可能なプログラムを記憶した記憶媒体から、図示しない読み込み装置等を用いて、プログラムを読み込んで実行してもよい。
【００３７】
ＦＡＸ制御手段３０２は、ファクシミリ送受信を行う際の制御を行う。また、ＦＡＸ制御手段３０２は、図示しない公衆電話網と電話回線等で接続され、一般的なファクシミリの送受信を行う機能を有する。すなわち、ＦＡＸ制御手段３０２は、画像データの入力を受け付ける機能を有する。
【００３８】
画像比較手段３０３は、ＦＡＸ制御手段３０２が受信した画像データと、後述する記憶手段３０５が記憶する比較領域及び指定領域を含むフォーマットデータとの画像データ比較を行う。また、画像比較手段３０３は、受信した画像データとフォーマットデータとの比較結果から、両画像データの一致、不一致を判定する。
【００３９】
画像処理手段３０４は、画像比較手段３０３が両画像データが一致したと判定した場合、ＦＡＸ制御手段３０２が受信した画像データから、予め指定される所定の領域を切り出す。
【００４０】
記憶手段３０５は、フォーマットデータ、切り出した画像データ等の各種画像データや画像形成装置３０の制御に関するデータ等を記憶する。本実施形態に係る記憶手段３０５は、ユーザによって予め比較領域及び指定領域が指定されたフォーマットデータを記憶すると共に、画像処理手段３０４が切り出した画像データの切り出し領域を一時的に記憶する。例えば、フォーマットデータがアンケート用紙の場合を考える。この場合、ユーザは画像形成装置３０の操作手段等を操作して、該アンケート用紙を画像形成装置３０に読み取り、読み取ったデータのうち、比較対象とする比較領域及び画像切り出し行う指定領域の情報を含むフォーマットデータを記憶手段３０５に登録する。例えば、記憶手段３０５は、ハードディスクや光磁気ディスク等で構成してもよい。
【００４１】
蓄積量判定手段３０６は、記憶手段３０５が記憶する切り出された所定の領域が所定量に達したか否かを判定する。
【００４２】
画像合成手段３０７は、蓄積量判定手段３０６が所定量に達したと判定した場合に、記憶手段３０５が記憶する切り出した画像データを合成し、合成画像データを作成する。
【００４３】
出力手段３０８は、画像形成装置３０の操作者等であるユーザへ情報の表示や後述する合成画像データの表示等を行う。また、出力手段３０８は、画像データの印刷を行う。例えば、出力手段３０８は液晶素子及びそれらを制御する回路や一般的な印刷装置等から構成されてもよい。
【００４４】
また、画像形成装置３０は、例えば、文書の画像読み取りが可能な読み取り手段やネットワークファクシミリとしての機能や一般的なネットワーク通信機能を担うネットワーク制御手段を有していてもよい。また、画像形成装置３０は、ユーザがその操作に必要とされる情報を入力する際に用い、ＦＡＸ宛先の入力等、ユーザからのキー操作の受け付けや定形フォーマットの範囲指定の入力を行う機能を有する操作手段を有してもよい。例えば、操作手段は外部操作キー等で構成される。
【００４５】
図４は、第２の実施形態の画像形成装置３０の動作フローである。
【００４６】
画像形成装置３０のＦＡＸ制御手段３０２は、通信相手となる画像形成装置から送信された文書データを受信する（Ｓ４０１）。なお、文書のみが記載される文書データのみならず、画像が含まれる画像データ、あるいはそれら両方を含むデータを受信してもよい。
【００４７】
画像比較手段３０３は、受信した文書データ（以下、受信データという）と予め記憶手段３０５に登録されているフォーマットデータとを比較し、両データが一致したか否かを判定する（Ｓ４０２）。なお、フォーマットデータは、記憶手段３０５に登録しておく必要はなく、例えば、画像形成装置３０と接続される外部サーバから取得してもよい。
【００４８】
ここで、画像比較手段３０３による画像比較は、既存の画像処理方法を用いてもよい。例えば、画像比較手段３０３は、フォーマットデータの比較領域と受信したデータの、比較領域と対応する領域との各画素を比較し、一致、不一致の判定をしてもよい。また、例えば、受信データ及びフォーマットデータに判定の基準となる識別記号等を配置し、画像比較手段３０３は、それを検知することにより、画像データの向きや倍率等を合わせた後に、受信データ及びフォーマットデータの比較、判定を行ってもよい。
【００４９】
また、上記例は、フォーマットデータのうち、指定領域以外の領域を比較領域とし、比較、判定を行っているが、これに限るものではない。例えば、ユーザは、フォーマットデータのうち、バーコードや記入欄の枠線等の特徴的な箇所を比較対象領域として登録し、画像比較手段３０３はその部分と受信データの対応部分とを比較、判定してもよい。また、比較、判定を行う際、送信元原稿ファイル等の原稿汚れを考慮し、画像比較手段３０３は完全一致でない場合でも一致と判定してもよい。例えば、画像比較手段３０３は両画像データの一致画素数、不一致画素数を計測し、それらの値と所定の閾値とを用いて、一致したか否かを判定してもよい。
【００５０】
画像比較手段３０３が不一致と判定した場合（Ｓ４０３、ＮＯ）には、出力手段３０８は、通常の文書として受信データを出力し、処理を終了する（Ｓ４０４）。例えば、出力手段３０８は、受信データの印刷や表示等を行ってもよい。なお、例えば、悪戯で送信されてきたファクシミリ等を受信した場合を考慮して、Ｓ４０４で受信データの印刷、表示は行わなくてもよい。
【００５１】
画像比較手段３０３が一致と判定した場合（Ｓ４０３、ＹＥＳ）には、画像比較手段３０３は受信データを記憶手段３０５に記憶する（Ｓ４０５）。
【００５２】
次に、画像処理手段３０４は、受信データからフォーマットデータの指定領域と対応する領域を切り出し（Ｓ４０６）、切り出した領域を指定領域データとして記憶手段３０５に記憶する（Ｓ４０７）。なお、出力手段３０８は、記憶手段３０５に指定領域データを記憶した旨を表示してもよい。また、出力手段３０８は、後述する所定量までの残数等を表示してもよい。
【００５３】
蓄積量判定手段３０６は、Ｓ４０６で切り出した記憶手段３０５に記憶されている指定領域データの合計が所定量に達したか否かを判定する。
【００５４】
上記所定量について、例えば、出力手段３０８が後述する合成画像データを印刷する場合を考える。この場合、上記所定量は、印刷に使用する用紙の大きさ（サイズ）と切り出した指定領域の大きさ（サイズ）とを考慮してフォーマットデータ毎に定めてもよい。このとき、用紙サイズは、例えば、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）  ２１６等で規格される用紙サイズ等を用いてもよい。また、上記所定量は、例えば、指定領域データが印刷に使用する用紙に最大限収まるように設定してもよく、所定量に応じて指定領域データの拡大、縮小、配置レイアウト等を変更してもよい。また、例えば、ユーザは、フォーマットデータの登録に加え、上記所定量を定めてもよい。
【００５５】
また、フォーマットデータの登録に加え、指定領域データのサイズから印刷に用いる用紙に格納され得る限界量が予め把握できる場合には、画像形成装置３０はその情報もフォーマットデータ毎に登録してもよい。すなわち、蓄積量判定手段３０６は、上記情報に基づいて、受信データ数をカウントすることで所定量に達したか否かを判定してもよい。
【００５６】
蓄積量判定手段３０６が所定量に達していないと判定した場合（Ｓ４０８、ＮＯ）には、ＦＡＸ制御手段３０２は、回線切断等の文書受信終了の処理を行い、次に文書データを受信するまで待機する。
【００５７】
蓄積量判定手段３０６が所定量に達したと判定した場合（Ｓ４０８、ＹＥＳ）には、画像合成手段３０７は、記憶手段３０５に記憶した受信済みの指定領域データを合成し、合成画像データを作成する（Ｓ４０９）。
【００５８】
次に、出力手段３０８は、合成画像データを出力し、ＦＡＸ制御手段３０２は、回線切断等の文書受信終了の処理を行う（Ｓ４１０）。なお、出力方法としては、例えば、出力手段３０８による合成画像データの印刷、表示等である。さらに、本実施形態において、出力された合成画像データに用いた切り出し領域のデータを記憶手段３０５から削除する。
【００５９】
本実施形態の詳細な動作について、図５、図６を用いて説明する。なお、図５及び図６では、画像形成装置３０は、アンケート用紙を受信し、該アンケート用紙から所定の領域を切り出す場合について説明するが、この場合に限るものではなく、画像形成装置３０が受信する文書は、任意のものでもよい。
【００６０】
ユーザは、画像形成装置３０の図示しない読み取り手段を使用して、受信するアンケート用紙を文書イメージ５０として、画像形成装置３０の記憶手段３０５に登録しておく。なお、登録する文書イメージ５０は、未回答のアンケート用紙を読み取った場合を考えるが、それに限るものではない。
【００６１】
図５の例では、文書イメージ５０のうち、不必要領域５０１は、アンケート用紙の場合、設問等が記載される領域であり、ユーザ（例えば、アンケート集計者等）にとって出力する必要のない領域を示している。また、必要領域５０２は、設問に対するアンケート回答が記載される領域であり、ユーザにとって出力する必要のある領域を示している。
【００６２】
ユーザは、文書イメージ５０を登録した後、この文書イメージ５０に基づいて、画像比較及び画像切り出しの際に用いるフォーマットデータ５１の登録を行う。ユーザは、フォーマットデータ５１の登録に際し、受信データとの比較に用いる比較領域５２及び画像切り出しを行う指定領域５３の情報の指定、登録を行う。この登録において、ユーザは、不必要領域５０１の一部または全部を比較領域５２として指定、登録を行う。また、指定領域５３には少なくとも必要領域５０２が含まれるように領域の指定、登録を行う。例えば、図５の例では、比較領域５２は、不必要領域５０１を全部含むようにフォーマットデータ５１に登録されている。そして、画像比較手段３０３は、フォーマットデータ５１の比較領域５２と、受信データのうち比較領域５２と対応する領域とが一致するか否かを判定する。また、図５の例では、指定領域５３は、必要領域５０２を含むようにフォーマットデータ５１に登録されている。そして、画像処理手段３０４は、受信データとフォーマットデータとが一致した場合に、受信データから指定領域５３に対応する領域について、画像切り出しを行う。
【００６３】
なお、図５の例では、フォーマットデータ５１は、比較領域５２及び指定領域５３の両情報を含むものとしているが、これに限るものではない。例えば、ユーザは、受信データとの比較に用いる比較データ及び受信データから特定の領域を切り出すためのデータをそれぞれ別個のデータとして画像形成装置３０に登録してもよい。
【００６４】
このように、ユーザは、画像形成装置３０に、受信データが有する文書フォーマットに合わせて、比較領域５２及び指定領域５３を含むフォーマットデータ５１を登録する。なお、画像形成装置３０へのフォーマットデータ５１の登録に際し、ユーザは、画像形成装置３０の操作手段等を使用して登録を行ってもよい。また、図５の例では、指定領域５３は、フォーマットデータ５１のうち比較領域５２以外の領域として登録を行っているが、これに限るものではない。
【００６５】
ここで、ＦＡＸ制御手段３０２が文書データを受信した場合を考える。ＦＡＸ制御手段３０２が受信した文書データの一例を図６に示す。図６の例では、受信データ６０は回答済みのアンケート用紙であり、領域６０１にはアンケート回答が記載されている。
【００６６】
画像比較手段３０３は、受信データ６０の、比較領域５２と対応する領域と、予め登録したフォーマットデータ５１のうち比較領域５２との比較を行い、それらが一致しているか否かを判定する。
【００６７】
画像比較手段３０３が受信データ６０と比較領域５２とが一致していると判定した場合、画像処理手段３０４は、予め登録した指定領域５３に対応する箇所を受信データ６０から切り出し、切り出した指定領域データ６２を記憶手段３０５に記憶する。
【００６８】
蓄積量判定手段３０６は、記憶手段３０５に記憶した指定領域データ６２が所定量に達したか否かを判定する。ここでは、蓄積量判定手段３０６は、所定量に達していないと判定した場合を考える。
【００６９】
この場合、ＦＡＸ制御手段３０２は、文書受信処理を終了し、画像形成装置３０は、次の文書受信まで待機する。
【００７０】
次に、画像形成装置３０が新たな受信データ６１を受信した場合を考える。先の動作と同様に、画像形成装置３０は、受信データ６１の比較、判定、指定領域データ６３の切り出し、記憶を行い、記憶した指定領域データ６２、６３の合計が所定量に達したか否かを判定する。ここでは、蓄積量判定手段３０６は、所定量に達したと判定した場合を考える。
【００７１】
記憶した指定領域データ６２、６３の合計が所定量に達した場合、画像合成手段３０７は、指定領域データ６２、６３の合成を行い、合成画像データ６４を作成する。例えば、出力手段３０８が、合成画像データ６４を印刷する場合、図６のように、画像合成手段３０７は、切り出した指定領域データ６２及び６３が、同一の用紙上に収まるように配置する。
【００７２】
なお、配置方法は、上記例のものに限らず、上記所定量の値、印刷に使用する用紙のサイズ、切り出した指定領域のサイズ等によって変更可能であり、ユーザが指定してもよい。
【００７３】
また、出力方法として、出力手段３０８が合成画像データ６４を印刷する例を上述したが、その他の出力方法でもよい。例えば、出力手段３０８は、上記合成画像データ６４を表示してもよい。その際、指定領域データ６２、６３が同一の表示画面上に収まるように、指定領域データ６２、６３を配置してもよい。
【００７４】
また、指定領域５３は、同一フォーマットデータ５１上に複数箇所あってもよい。また、上記フォーマットデータ５１の登録に加え、合成画像データを作成する際の指定領域データの配置に関する情報がフォーマットデータ５１に登録されてもよい。例えば、ユーザが、アンケート用紙の記名欄と回答欄とを切り出すように指定領域をフォーマットデータ５１に登録した場合を考える。この登録に際し、さらに「記名欄は左詰め、回答欄は右詰めで用紙上部から詰めて配置する」というように指定領域データを合成する際の配置情報もフォーマットデータ５１に登録を行った場合を考える。なお、アンケート用紙上では記名欄、回答欄は、互いに離れた位置に配置されている場合を考える。
【００７５】
この場合、画像形成装置３０は、上記配置情報に基づき、記名欄及び回答欄を併記した合成画像データ６４を作成、出力することができる。このため、出力コストを低減させることができると共に、必要な情報が併記されて出力されるためユーザの後工程の作業効率を向上させることができる。また、例えば、指定領域データが画像の場合、指定領域データ間の間隔を空けて配置する等、出力の際の配置に関する情報がフォーマットデータ５１に登録されていてもよい。なお、ユーザは、出力した際の配置に関する任意の情報を画像形成装置３０の操作手段等を用いて登録してもよい。
【００７６】
また、出力手段３０８は、合成画像データ６４の表示後、印刷を行うか否かについてユーザに選択させるための画面を表示してもよく、ユーザの選択に基づいて印刷するようにしてもよい。
【００７７】
また、画像形成装置３０は合成画像データ６４の出力（印刷、表示）に加えて、別途、フォーマットデータ５１の出力を行ってもよい。フォーマットデータ５１の出力を行うことで、例えば、アンケート集計者は、フォーマットデータ５１の比較領域５２に含まれる設問等を参照しながら、集計作業を進めることができ、作業効率が向上する。また、上記フォーマットデータ５１の出力に際し、アンケート回答欄等を含む指定領域５３は出力しなくてもよい。
【００７８】
また、本実施形態においては、文書イメージ５０、フォーマットデータ５１、比較領域５２、指定領域５３等の情報を画像形成装置３０の記憶手段３０５に記憶する場合について説明したが、これに限るものではない。例えば、画像形成装置３０は図示しないネットワーク制御手段を介して、外部サーバと通信を行い、外部サーバに文書イメージ５０、フォーマットデータ５１、比較領域５２、指定領域５３等の情報を登録するようにしてもよい。そして、画像形成装置３０は、文書データの受信時、外部サーバからフォーマットデータ５１、比較領域５２、指定領域５３等の情報を受信し、上述した比較、判定、切り出し等の動作を行ってもよい。
【００７９】
本実施形態において、画像形成装置３０の画像比較手段３０３は、受信した受信データとフォーマットデータとを比較する。比較の結果が一致していた場合、画像処理手段３０４は、受信したデータから所定の領域を切り出す。蓄積量判定手段３０６は、切り出した領域データが所定量に達したか否かを判定し、所定量に達した場合、画像合成手段３０７は、切り出した領域を合成し、出力手段３０８は、合成された画像データを出力する。
【００８０】
従って、本実施形態の画像形成装置３０は、例えば、データの出力方法として印刷を用いた場合、印刷に使用する用紙やインク等の印刷コストを抑えることができる。
【００８１】
また、本実施形態の画像形成装置３０は、受信データから必要な部分のみを切り出し、出力することができるため、データ出力後のユーザの後工程の作業効率等を向上させることができる。例えば、画像形成装置３０は、回答済みアンケート回答用紙を受信する場合を考える。この場合、画像形成装置３０は、回答が記載された部分を切り出すように動作することで、回答が記載された部分のみを出力することができる。従って、印刷コストを抑えることができるとともに、ユーザは、回答部分のみを見ながら集計作業等を進めることができ、作業効率が向上する。
【００８２】
さらに、本実施形態の画像形成装置３０は、フォーマットデータと一致したデータのみから合成画像データを作成、出力するため、意図しないデータを読み取った場合でも出力しないようにすることができる。
【００８３】
＜第３の実施形態＞
本発明の第３の実施形態について説明する。
【００８４】
図７は、本発明の第３の実施形態の画像形成装置を示す機能ブロック図である。なお、第３の実施形態において、画像形成装置７０はスキャナ装置として説明するが、それに限るものではない。例えば、画像形成装置７０はスキャナ機能及びファクシミリ機能を備える画像形成装置でもよい。すなわち、第３の実施形態における画像形成装置７０は、第２の実施形態の画像形成装置３０の各機能手段を備えていてもよい。また、第２の実施形態と重複する部分については、適宜説明を省略する。
【００８５】
第３の実施形態の画像形成装置７０は、制御手段７０１と、読み取り手段７０２と、画像比較手段７０３と、画像処理手段７０４と、記憶手段７０５と、蓄積量判定手段７０６と、画像合成手段７０７と、出力手段７０８とを有する。
【００８６】
読み取り手段７０２は、文書等の画像読み取りを行う。なお、読み取り手段７０２は、一般的なスキャナ装置等で用いられる任意の画像読み取り方法、装置を用いてもよい。すなわち、読み取り手段７０２は、画像データの入力を受け付ける機能を有する。
【００８７】
なお、制御手段７０１、画像比較手段７０３、画像処理手段７０４、記憶手段７０５、蓄積量判定手段７０６、画像合成手段７０７、出力手段７０８は、第２の実施形態のものと同様であるため、詳細な説明は省略する。
【００８８】
また、画像形成装置７０は、例えば、外部装置と一般的な通信ネットワークを介して通信を行うネットワーク制御手段や画像形成装置７０を操作するための操作手段等を有していてもよい。
【００８９】
図８は、第３の実施形態の画像形成装置の動作フローである。
【００９０】
読み取り手段７０２は、文書の読み取りを行い、画像データとして画像形成装置７０に取り込む（Ｓ８０１）。なお、読み取り手段７０２は、文書のみならず、画像、あるいはそれらの両方を含む文書を読み取ってもよい。
【００９１】
画像比較手段７０３は、読み取った画像データと予め記憶手段７０５に記憶されているフォーマットデータとを比較し、両データが一致したか否かを判定する（Ｓ８０２）。例えば、読み取った画像データが宅配便における伝票の場合、ユーザは画像形成装置７０の操作手段等を操作して、該伝票を文書イメージとして記憶手段７０５に登録しておく。また、登録に際し、ユーザは、比較対象とする比較領域及び画像切り出し行う指定領域の情報を含むフォーマットデータを記憶手段７０５に登録しておく。そして、画像形成装置７０は、フォーマットデータの比較領域と読み取ったデータの、比較領域と対応する領域とを比較し、これらが一致した場合には、読み取った文書データからフォーマットデータの指定領域に対する領域について、画像切り出しを行う。
【００９２】
以降、Ｓ８０３〜Ｓ８１０については、第２の実施形態のＳ４０３〜Ｓ４１０と同様の動作を行う。ここで、本実施形態では、Ｓ８０６、Ｓ８０７において、画像処理手段７０４は、宅配便の伝票から読み取った画像データから、切り取り領域として、宅配先の住所や受け取り確認のサイン欄等を切り取って記憶手段７０５に記憶する。そして、Ｓ８１０において、出力手段７０８は、画像合成手段７０７が作成した合成画像データを、宅配業者が携帯している画像形成装置７０の表示手段に表示する。
【００９３】
宅配先の住所の一覧を合成画像データとして画像形成装置７０の表示手段に表示する場合、実際に宅配を行う作業者は表示手段に表示された住所一覧を確認して宅配を行うことができる。一般の宅配便において住所欄は手書きされることが多い。手書き文字についてはＯＣＲ（Ｏｐｔｉｃａｌ  Ｃｈａｒａｃｔｅｒ  Ｒｅｃｏｇｎｉｔｉｏｎ）等を用いて文字認識を行うことが可能であるが、認識率を１００％にすることは困難である。
【００９４】
宅配業者が文字認識された住所情報に誤りがあると判断した場合、本来ならば現品を探し出して住所確認をする必要がある。本実施形態により宛先の読み込みを行っていれば、住所欄に記載された画像情報を一覧として取り出すことが可能なため、現品を再確認することなく住所確認が可能となる。
【００９５】
一方、受け取り確認のサイン欄を合成画像データとして画像形成装置７０の表示手段に表示する場合、これにより、宅配業者は、今回のサインと一覧とを比較することにより本人確認が可能となる。この本人確認により、成りすましによる誤配達を防ぐことができる。
【００９６】
本実施形態に係る画像形成装置７０は、読み取った伝票から宅配先の住所や受け取り確認のサイン欄のみを容易に切り取って、一括して表示手段に表示することができる。従って、第３の実施形態の画像形成装置７０は、装置の処理負荷が大きくなることなく、読み取った伝票の画像データを自動的に処理して、所望情報の一覧を出力することができる。
【００９７】
＜第４の実施形態＞
本発明の第４の実施形態について説明する。
【００９８】
図９は本発明の第４の実施形態の画像形成装置を示す機能ブロック図である。なお、第４の実施形態において、画像形成装置９０はファクシミリ装置として説明するが、それに限るものではない。例えば、画像形成装置９０は、スキャナ機能及びファクシミリ機能を備える画像形成装置でもよい。すなわち、第４の実施形態における画像形成装置９０は、第２及び第３の実施形態の画像形成装置３０、７０における各機能手段を備えていてもよい。また、第２及び第３の実施形態と重複する部分については、適宜説明を省略する。
【００９９】
第４の実施形態の画像形成装置９０において、第２及び第３の実施形態の画像形成装置と異なる点は、読み取った画像データとフォーマットデータとを合成し、合成画像データを作成し、作成した合成画像データを送信する点である。
【０１００】
第４の実施形態の画像形成装置は、制御手段９０１と、ネットワーク制御手段９０２と、読み取り手段９０３と、ＦＡＸ制御手段９０４と、画像比較手段９０５と、画像処理手段９０６と、記憶手段９０７と、蓄積量判定手段９０８と、画像合成手段９０９と、出力手段９１０とを有する。また、第４の実施形態の画像形成装置９０は、図示しない操作手段を有していてもよい。
【０１０１】
図１０は、第４の実施形態のシステム構成例を示す。なお、図１０の送信側画像形成装置１００１及び受信側画像形成装置１００２は共に図９の構成を有しているものとする。
【０１０２】
各画像形成装置１００１、１００２のＦＡＸ制御手段９０４は、電話回線１００３と公衆電話網１００４を通じて接続され、互いにファクシミリの送受信が可能となっている。
【０１０３】
また、各画像形成装置１００１、１００２のネットワーク制御手段９０２は、ＬＡＮ（Ｌｏｃａｌ  Ａｒｅａ  Ｎｅｔｗｏｒｋ）１００５を介して、外部サーバ１００６と接続され、一般的なネットワーク送受信が可能となっている。
【０１０４】
本実施形態において、画像形成装置１００１、１００２の記憶手段９０７には、文書イメージ５０、フォーマットデータ５１、比較領域５２及び指定領域５３の情報を有する同一のフォーマットデータがそれぞれ記憶されている。なお、画像形成装置１００１、１００２と接続される外部サーバ１００６に文書イメージ５０、フォーマットデータ５１、比較領域５２及び指定領域５３の情報を有するフォーマットデータを登録してもよい。ユーザは、フォーマットデータの登録に際し、文書比較を行うための比較領域、データの合成及び切り出しを行うため指定領域の情報をフォーマットデータに登録しておく。
【０１０５】
図１１は、第４の実施形態の画像形成装置１００１、１００２の動作フローである。
【０１０６】
送信側画像形成装置１００１の読み取り手段９０３は、送信する文書等の画像読み取りを行う（Ｓ１１０１）。なお、読み取る文書は、文書だけでなく画像等を含むものでもよい。読み取り手段９０３は、一般的なスキャナ装置等であってもよい。
【０１０７】
送信側画像形成装置１００１の画像合成手段９０９は、読み取った画像データに対し、自装置の記憶手段９０７に記憶されているフォーマットデータ及び指定領域の情報に基づいて、送信する合成画像データを作成する（Ｓ１１０２）。例えば、画像合成手段９０９は、フォーマットデータの指定領域内に読み取った画像データが収まるように、フォーマットデータと読み取った画像データとを合成し、送信する合成画像データを作成する。また、画像合成手段９０９は、読み取った画像データに合成に使用したフォーマットデータの情報を含めて合成画像データを作成してもよい。例えば、画像合成手段９０９は、フォーマットデータを示す記号やバーコード等の情報を含めて合成画像データを作成してもよい。
【０１０８】
送信側画像形成装置１００１のＦＡＸ制御手段９０４は、作成した合成画像データを受信側画像形成装置１００２に送信する（Ｓ１１０３）。
【０１０９】
受信側画像形成装置１００２のＦＡＸ制御手段９０４は、送信側画像形成装置１００１から送信された合成画像データを受信する（Ｓ１１０４）。
【０１１０】
受信側画像形成装置１００２の画像比較手段９０５は、自装置の記憶手段９０７に記憶されているフォーマットデータの比較領域と、受信した合成画像データの、比較領域と対応する領域とを比較し、両データが一致したか否かの判定を行う（Ｓ１１０５）。
【０１１１】
一致した場合、受信側画像形成装置１００２の画像処理手段９０６は、受信した合成画像データから、予めフォーマットデータに登録された指定領域にあたる箇所を切り出し、切り出した領域を記憶手段９０７に記憶する（Ｓ１１０６）。一致しない場合には、受信側画像形成装置１００２の出力手段９１０は、受信したデータを通常印刷する。なお、例えば、悪戯で送信されてきたファクシミリ等を受信した場合を考慮して、Ｓ１１０６では受信データの印刷は行わなくてもよく、出力手段９１０はエラーメッセージ等を表示してもよい。
【０１１２】
切り出した後の動作は、第２の実施形態で上述した合成処理及び出力処理（Ｓ４０８〜Ｓ４１０）を行う（Ｓ１１０７）。
【０１１３】
なお、第４の実施形態では、送信側及び受信側画像形成装置１００１、１００２は、ともに図９のように同一の構成を有しているものとしているが、これに限るものではない。例えば、送信側画像形成装置１００１は、送信する合成画像データを作成する機能を有していればよく、画像比較手段９０５や画像処理手段９０６を有す必要はないため、図１２に示す画像形成装置１２０のような構成でもよい。なお、図１２おいて、制御手段１２０１、ネットワーク制御手段１２０２、読み取り手段１２０３、ＦＡＸ制御手段１２０４、記憶手段１２０５、画像合成手段１２０６は、図９中の対応する各手段と同様の機能を有するため、詳細な説明は省略する。
【０１１４】
また、受信側画像形成装置１００２は、図３に示す第２の実施形態の画像形成装置３０と同様の構成でもよい。
【０１１５】
本実施形態の詳細な動作について、図１３を用いて説明する。
【０１１６】
送信側画像形成装置１００１の読み取り手段９０３は、文書の画像読み取りを行う。
【０１１７】
送信側画像形成装置１００１の画像合成手段９０９は、読み取った画像データ１３１と自装置の記憶手段９０７に記憶されているフォーマットデータ１３２、比較領域１３３及び指定領域１３４の情報とに基づいて、送信する合成画像データ１３５を作成する。すなわち、画像合成手段９０９は、フォーマットデータ１３２の指定領域１３４内に読み取った画像が収まるように合成し、合成画像データ１３５を作成する。
【０１１８】
送信側画像形成装置１００１のＦＡＸ制御手段９０４は、受信側画像形成装置１００２に対し、作成した合成画像データ１３５を送信する。
【０１１９】
受信側画像形成装置１００２のＦＡＸ制御手段９０４は、合成画像データ１３５を受信する。
【０１２０】
受信側画像形成装置１００２の画像比較手段９０５は、受信した合成画像データ１３５と自装置または外部サーバに記憶されているフォーマットデータ１３２との比較を行い、それらが一致しているか否かを判定する。例えば、図１３に示すように、画像比較手段９０５は、フォーマットデータ１３２の比較領域１３３と合成画像データ１３５の、比較領域１３３と対応する領域を比較し、一致しているか否かを判定する。
【０１２１】
一致していた場合、受信側画像形成装置１００２の画像処理手段９０６は、合成画像データ１３５から指定領域１３４に当たる箇所を切り出し、記憶手段９０７は、切り出した指定領域データ１３６を記憶する。切り出した指定領域データ１３６の記憶、蓄積量の判定、指定領域データ１３６の合成等、受信側画像形成装置１００２におけるこの後の動作は、第２の実施形態と同様であるため、省略する。
【０１２２】
一致していない場合、受信側画像形成装置１００２の出力手段９１０は受信したデータを通常印刷する。なお、例えば、記憶されているフォーマットデータのいずれとも一致しない場合は、悪戯で送信されてきたファクシミリである場合も考えられるため、受信データの印刷は行わなくてもよい。
【０１２３】
本実施形態の他の詳細な動作について、図１４を用いて説明する。
【０１２４】
本実施形態において、送信側画像形成装置１００１および受信側画像形成装置１００２の記憶手段９０７には、図１４に示した２つのフォーマットデータ１３２Ａ、１３２Ｂがそれぞれ記憶されている。フォーマットデータ１３２Ａ、１３２Ｂはそれぞれ、バーコード等の情報１３９Ａ、１３９Ｂの印字領域を含む比較領域１３３Ａ、１３３Ｂと、指定領域１３４Ａ、１３４Ｂとが指定されている。なお、指定領域１３４Ａ内に文書１３８が、指定領域１３４Ｂ内に文書１３７が印字される。
【０１２５】
ユーザは、先ず、図示しない送信側画像形成装置１００１の操作手段を用いて、どのフォーマットデータを用いて、合成画像データを作成するかを選択する。
【０１２６】
画像形成装置１００１の画像合成手段９０９は、ユーザによって選択されたフォーマットデータに基づいて、合成画像データ１３５を作成する。例えば、ユーザがフォーマットデータ１３２Ａを選択した場合を考える。この場合、画像合成手段９０９は、画像データ１３１の、フォーマットデータ１３２Ａの比較領域１３３Ａに対応する領域に、フォーマットデータ１３２Ａを特定する情報１３９Ａ（バーコード）を合成する。なお、ユーザがフォーマットデータ１３２Ｂを選択した場合には、画像合成手段９０９は、フォーマットデータ１３２Ｂを特定する情報１３９Ｂ（バーコード）を合成する。
【０１２７】
送信側画像形成装置１００１のＦＡＸ制御手段９０４は、受信側画像形成装置１００２に対し、作成した合成画像データ１３５を送信する。
【０１２８】
受信側画像形成装置１００２のＦＡＸ制御手段９０４は、合成画像データ１３５を受信する。
【０１２９】
受信側画像形成装置１００２の画像比較手段９０５は、受信した合成画像データ１３５と自装置に記憶されているフォーマットデータ１３２との比較を行い、それらが一致しているか否かを判定する。
【０１３０】
例えば、画像形成装置１００２が、図１４に示すフォーマットデータ１３２Ａを使用した合成画像データ１３５を受信した場合を考える。この場合、画像形成装置１００２の画像比較手段９０５は、自装置に登録されているフォーマットデータ１３２Ａの比較領域１３３Ａと、合成画像データ１３５の、比較領域１３３Ａと対応する領域とを比較し、一致しているか否かを判定する。そして、画像比較手段９０５は、フォーマットデータ１３２Ａを特定する情報１３３Ａが両画像データの同一領域に含まれており、両画像データが一致すると判定する。なお、図１４のように、フォーマットデータが複数種登録されている場合には、それらのフォーマットデータ１つ１つに対し、比較、判定を行う。
【０１３１】
一致していた場合、画像形成装置１００２の画像処理手段９０６は、合成画像データ１３５から指定領域１３４に当たる箇所を切り出す。ここで、指定領域データ１４１には、文書１３８が含まれている。指定領域データの記憶、蓄積量の判定、指定領域データの合成等、受信側画像形成装置１００２におけるこの後の動作は、第２の実施形態と同様であるため、省略する。
【０１３２】
一致していない場合、受信側画像形成装置１００２の出力手段９０７は受信したデータを通常印刷する。なお、例えば、フォーマットデータのいずれとも一致しない場合は、悪戯で送信されてきたファクシミリである場合も考えられるため、受信データの印刷は行わなくてもよい。
【０１３３】
本実施形態において、画像形成装置１００１の画像合成手段９０９は、読み取った画像データとフォーマットデータとを合成し、合成画像データを作成する。ＦＡＸ制御手段９０４は、作成した合成画像データを送信する。
【０１３４】
受信側画像形成装置１００２は、受信した合成画像データとフォーマットデータとを比較し、指定領域の切り出しを行う。この場合、同一の特定フォーマットを使用した認証通信を行うことができる。
【０１３５】
例えば、送信側及び受信側画像形成装置との間で予めフォーマットデータを共有化しておくことで、特定フォーマットを用いた認証通信等を行うことができる。また、フォーマットデータを記憶手段９０７ではなく外部サーバに保持させる場合、送信側及び受信側画像形成装置が共に特定フォーマットデータが登録された外部サーバと通信できるようにする。
【０１３６】
以上、本発明の各実施形態を説明したが、本発明は、上記した各実施形態に限定されるものではない。本発明は、各実施形態の変形・置換・調整に基づいて実施できる。すなわち、本発明は、本明細書の全ての開示内容、技術的思想に従って実現できる各種変形、修正を含む。なお、各図面に付記した図面参照符号は、理解を助けるための一例として各要素に便宜上付記したものであり、本発明を図示の態様に限定することを意図するものではない。
【符号の説明】
【０１３７】
１０、３０、７０、９０、１２０  画像形成装置
１０１  入力手段
１０２、３０３、７０３、９０５  画像比較手段
１０３、３０４、７０４、９０６  画像処理手段
１０４、３０５、７０５、９０７、１２０５  記憶手段
１０５、３０６、７０６、９０８  蓄積量判定手段
１０６、３０７、７０７、９０９、１２０６  画像合成手段
１０７、３０８、７０８、９１０  出力手段
【図１】
2015226176.tif 000003
【図２】
2015226176.tif 000004
【図３】
2015226176.tif 000005
【図４】
2015226176.tif 000006
【図５】
2015226176.tif 000007
【図６】
2015226176.tif 000008
【図７】
2015226176.tif 000009
【図８】
2015226176.tif 000010
【図９】
2015226176.tif 000011
【図１０】
2015226176.tif 000012
【図１１】
2015226176.tif 000013
【図１２】
2015226176.tif 000014
【図１３】
2015226176.tif 000015
【図１４】
2015226176.tif 000016